(57)【要約】【課題】成形型内に構造を利用して、物性の異なる２種類の発泡体を区切る部材を配置して２種類の発泡体を層状に一体成形し、夫々の発泡体の厚さ等を制御して意図した物性を安定的に発現させるシート用パッドと、これを製造する方法を提供する。【解決手段】溝部１２ａを形成するの突条５４を設けた成形型５０のキャビティ内に、第１の発泡体１６となる第１の発泡原料と、該第１の発泡体１６とは物性の異なる第２の発泡体１８となる第２の発泡原料とを分別的に注入し、物性の異なる２種類の発泡体１６、１８を層状に一体成形するシート用パッドを、突条５４上に関係的に位置し、キャビティ内に展延して、第１の発泡体１６および第２の発泡体１８の境界となるシート状区画部材２０と、この部材２０によって区切られたキャビティの内側・外側に夫々成形される第１の発泡体１６および第２の発泡体１８とから構成する。【選択図】図１
2005087338.tif 000002
【特許請求の範囲】
【請求項１】
シート用パッド(12)に所要の溝部(12a)を形成するための突条(54)を設けた成形型(50)のキャビティ(51)内に、第１の発泡体(16)となる第１の発泡原料(M1)と、該第１の発泡体(16)とは物性の異なる第２の発泡体(18)となる第２の発泡原料(M2)とを分別的に注入することで、物性の異なる２種類の発泡体(16,18)を層状に一体成形してなるシート用パッドにおいて、
前記突条(54)上に関係的に位置し、前記キャビティ(51)内に展延して、前記第１の発泡体(16)および第２の発泡体(18)の境界(P)となるシート状区画部材(20)と、
前記シート状区画部材(20)によって区切られたキャビティ(51)の内側に画成される第１領域(22)に注入した第１の発泡原料(M1)からなる第１の発泡体(16)と、
前記シート状区画部材(20)によって区切られたキャビティ(51)の外側に画成される第２領域(24)に注入した第２の発泡原料(M2)からなる第２の発泡体(18)とから構成した
ことを特徴とするシート用パッド。
【請求項２】
前記シート状区画部材(20)は、所要の形状保持性を備える素材からなり、前記２種類の発泡原料(M1,M2)が発泡する際の体積膨張によっても、異なる物性を備える２種類の発泡体(16,18)の境界(P)を保持し得る請求項１記載のシート用パッド。
【請求項３】
前記シート状区画部材(20)は、前記第１領域(22)を画成する前記突条(54)および／または成形型(50)の内表面(50a)の所定位置に固定されることで、所定の張力が掛けられて、前記２種類の発泡原料(M1,M2)が発泡する際の体積膨張によっても、異なる物性を備える２種類の発泡体(16,18)の境界(P)を保持し得る請求項１記載のシート用パッド。
【請求項４】
前記シート状区画部材(20)は、その一部が重複するように配置される少なくとも２つ以上の分割部材(21,21)から構成されている請求項３記載のシート用パッド。
【請求項５】
前記シート状区画部材(20)は、発泡途上にある前記２つの発泡原料(M1,M2)の通過を許容し得ない程度の通気性を備えている請求項１〜４の何れかに記載のシート用パッド。
【請求項６】
シート用パッド(12)に所要の溝部(12a)を形成するための突条(54)を設けた成形型(50)のキャビティ(51)内に、第１の発泡体(16)となる第１の発泡原料(M1)と、該第１の発泡体(16)とは物性の異なる第２の発泡体(18)となる第２の発泡原料(M2)とを分別的に注入することで、物性の異なる２種類の発泡体(16,18)を層状に一体成形するようにしたシート用パッドの製造方法において、
前記突条(54)上に所要の素材からなるシート状区画部材(20)を関係的に位置させて、該シート状区画部材(20)を前記キャビティ(51)内に展延させ、
前記キャビティ(51)におけるシート状区画部材(20)の内側に画成される第１領域(22)に第１の発泡原料(M1)を注入・発泡させると共に、該シート状区画部材(20)の外側に画成される第２領域(24)に第２の発泡原料(M2)を注入・発泡させるようにした
ことを特徴とするシート用パッドの製造方法。
【請求項７】
前記成形型(50)は、少なくとも前記第１領域(22)に対して第１の発泡原料(M1)を注入させるに際して、所定角度傾斜させられる請求項６記載のシート用パッドの製造方法。
【請求項８】
前記シート状区画部材(20)として、その一部が重複するように配置される少なくとも２つ以上の分割部材(21,21)が使用されると共に、前記第１領域(22)に対する第１の発泡原料(M1)の注入は、重複した部分(S)を開口状態として実施するようにした請求項６または７記載のシート用パッドの製造方法。
【発明の詳細な説明】
【技術分野】
【０００１】
この発明はシート用パッドの製造方法に関し、更に詳細には、部分的に硬度等の物性が異なる発泡体を積層させることで、座り心地等を良好とした座席用パッドに好適に使用し得るシート用パッドの製造方法に関するものである。
【背景技術】
【０００２】
例えば乗用車等の乗員室内に設置されるシート１０は、図１１に示す如く、乗員の下半身のホールドを図る座部３０と、この座部３０の後部に傾動可能に設置されて乗員の上半身のホールドを図る背もたれ３２と、この背もたれ３２の上部に設置されて乗員の頭部を保護するヘッドレスト３３とから基本的に構成されている。このうち座部３０は、例えば図１２(ａ)に示す形状に発泡成形されたポリウレタン系発泡体のシート用パッド１２にファブリックや合成皮革または皮革等の表皮１４を貼込んで形成され、また背もたれ３２は、図１２(ｂ)に示す形状に発泡成形された同じくポリウレタン系発泡体のシート用パッド１２にファブリックや合成皮革または皮革の表皮１４を貼込んで形成されている。そして座部３０のシート用パッド１２は、前部サポート部３４,後部サポート部３６(センターサポート部)および左右のサイドサポート部３８,３８とに大別され、夫々のサポート部３４,３６,３８の境界部分には表皮１４を裏側へ引張固定するための溝部１２ａ,１２ａ,１２ａが形成されている。また背もたれ３２は、上部サポート部４０と下部サポート部(「ランバーサポート」と云う)４２(センターサポート部)および左右のサイドサポート部４４,４４とに大別され、夫々のサポート部４０,４２,４４の境界部分には表皮１４を裏側へ引張固定するための溝１２ａ,１２ａ,１２ａが形成されている。
【０００３】
このように座部３０と背もたれ３２は、その基本的な構造が類似しており、従ってこれらを製造する成形型についても構造は類似しているため、座部３０をなすシート用パッド１２を製造する成形型５０を例に挙げて、好適に使用される成形型について図１３を用いて以下説明する。この図１３は、座部３０をなすシート用パッド１２を成形するための発泡成形型の下型を示す平面図(図１３(ａ))と、この下型５２および上型５３からなる発泡成形型の側断面図(図１３(ｂ))である。そして下型５２には、シート用パッド１２の表面側、すなわち前部サポート部３４,後部サポート部３６および左右のサイドサポート部３８,３８との形状に合致するキャビティ５１が形成してあり、また溝１２ａ,１２ａ,１２ａを形成するための突条５４,５４,５４が上方へ突出形成されている。従ってキャビティ５１の底面は、これら突条５４,５４,５４により前部サポート部３４に対応した前部領域５６Ａと、後部サポート部３６に対応した後部領域５６Ｂと、両側のサイドサポート部２８に対応した側部領域５６Ｃ、５６Ｃに区分形成されている。そして発泡原料を注入した後、下型５２および上型５３を閉成し、各領域５６Ａ、５６Ｂおよび５６Ｃにおいて発泡原料を発泡させることでシート用バッド１２が製造される。
【０００４】
このようなシート用パッド１２においては、乗員のホールド性、乗り降り容易性その他各種要望等の点から、シート用パッド１２の硬度等の物性を、その厚さ方向において部分的に異なるように構成する方法が好適に採用されている。そしてこのように部分的に硬度等の物性の異なるシート用パッド１２を製造する手段として、以下の方法が挙げられる。
【０００５】
(１)下記の[特許文献１]に記載の発明「クッション材の製造方法」の如く、成形型内に物性の異なる２種類のポリウレタン系発泡体となる２種類の発泡原料を異なる部位から夫々分けて注入し、これらから形成される異なる物性を有するポリウレタン系発泡体を一体的に発泡成形させてシート用パッドを製造する。
(２)一方の発泡原料から予め所定形状に発泡成形された一種類のポリウレタン系発泡体を成形型内の所定位置に配置した後、その成形型内に異なる物性を発現する他方の発泡原料を注入・発泡させて、異なる物性を有するポリウレタン系発泡体をポリウレタン系発泡体に一体的に成形してシート用パッドとする。
(３)所要の成形型等を使用して２種類の発泡原料から予め２種類のポリウレタン系発泡体所定形状に発泡成形し、これを接着剤等によって一体化してシート用パッドとする。
(４)本願出願人が案出した[特許文献２]に記載の発明「異硬度クッション体の成形型および異硬度クッション体の製造方法」の如く、成形体内に設けた棒状体によって、上方が開口してその縁に孔部の形成され、その端を成形型のパーティング面で挟持しないようにキャビティ内に保持されているプラスチックフィルム製の袋の内部および外部に、異なる発泡原料を注入することで、異なる物性を有するポリウレタン系発泡体からなるシート用パッドを成形する。
【特許文献１】特開２００２−５２５５０号公報
【特許文献２】特開平９−５０９１１８号公報
【発明の開示】
【発明が解決しようとする課題】
【０００６】
しかし、前述の(１)〜(４)の各製造方法の場合、以下の問題が指摘される。すなわち、
(１)２種類の発泡原料が略同時に注入されるため工程に煩雑さはないが、注入直後における発泡原料の低い粘度故に双方の発泡原料が混合してしまう。このため、２種類の発泡原料から夫々得られる２種類のポリウレタン系発泡体の境界を設定し得ず、また発泡させるべき容積および発泡倍率から予め注入量を制御した場合であっても、明確な境界を形成できない。このような状態においては、異なる物性を発現する２種類のポリウレタン系発泡体の厚さ等を制御し得ないため、製造されるシート用パッドの物性が部位によってぱらついてしまう問題が発生する。
(２)予め発泡成形され、成形型内に配置された一方のポリウレタン系発泡体の表面に対して、他方のポリウレタン系発泡体となるべく注入された他方の発泡原料が含浸してしまい、シート用パッドを構成する２種類のポリウレタン系発泡体の間にソリッド状態の硬い層が形成されてしまう。このため、得られるシート用パッドは乗員に違和感を与えてしまう。また予め成形型内に配置されたポリウレタン系発泡体を、別途に製造すしておく必要があるため製造工程が煩雑になる。
(３)予め発泡成形された２種類のポリウレタン系発泡体を接着する接着剤が、これら２種類のポリウレタン系発泡体に対して含浸して、その間でソリッド状態の硬い層を形成してしまうため、前述の(２)と同様の問題を内在することになる。また(２)と同様に、２種類のポリウレタン系発泡体を個別に製造するため、製造工程が煩雑になる。
(４)異なる物性を発現する２つのポリウレタン系発泡体の配置位置については好適な制御が可能であるが、プラスチックフィルム製の袋の内部に注入される発泡原料が発泡硬化する以前に異なる発泡原料が注入された場合には前述の(１)と同様の問題が、発泡硬化後に注入された場合には前述の(２)と同様の硬い層の問題が夫々顕在化してしまう。
【課題を解決するための手段】
【０００７】
前記課題を克服し、所期の目的を達成するため本発明に係るシート用パッドは、シート用パッドに所要の溝部を形成するための突条を設けた成形型のキャビティ内に、第１の発泡体となる第１の発泡原料と、該第１の発泡体とは物性の異なる第２の発泡体となる第２の発泡原料とを分別的に注入することで、物性の異なる２種類の発泡体を層状に一体成形してなるシート用パッドにおいて、
前記突条上に関係的に位置し、前記キャビティ内に展延して、前記第１の発泡体および第２の発泡体の境界となるシート状区画部材と、
前記シート状区画部材によって区切られたキャビティの内側に画成される第１領域に注入した第１の発泡原料からなる第１の発泡体と、
前記シート状区画部材によって区切られたキャビティの外側に画成される第２領域に注入した第２の発泡原料からなる第２の発泡体とから構成したことを特徴とする。
【０００８】
前記課題を克服し、所期の目的を達成するため本願の別の発明に係るシート用パッドの製造方法は、シート用パッドに所要の溝部を形成するための突条を設けた成形型のキャビティ内に、第１の発泡体となる第１の発泡原料と、該第１の発泡体とは物性の異なる第２の発泡体となる第２の発泡原料とを分別的に注入することで、物性の異なる２種類の発泡体を層状に一体成形するようにしたシート用パッドの製造方法において、
前記突条上に所要の素材からなるシート状区画部材を関係的に位置させて、該シート状区画部材を前記キャビティ内に展延させ、
前記キャビティにおけるシート状区画部材の内側に画成される第１領域に第１の発泡原料を注入・発泡させると共に、該シート状区画部材の外側に画成される第２領域に第２の発泡原料を注入・発泡させるようにしたことを特徴とする。
【発明の効果】
【０００９】
以上説明した如く、本発明に係るシート用パッドおよびその製造方法によれば、シート用パッドを製造する成形型内に構造上存在する突条等を用いると共に、シート状区画部材を使用してキャビティ内を層状に区分し、区分された部分に異なる発泡原料を注入して異なる物性を発現する発泡体を夫々成形するようにしたので、この発泡体の物性および形状を制御下において、意図する物性を発現し得るシート用パッドを安定的かつ容易に製造し得る。またシート状区画部材を境界として利用することで、物性の異なる発泡体間に硬度等に悪影響を与える層の形成をなくし、より安定した物性を発現するシート用パッドの製造が可能となっている。更に成形型を傾斜させることにより、異なる発泡原料の注入を同時にかつ効率的になし得るため、製造コストの低減の効果も奏する。
【発明を実施するための最良の形態】
【００１０】
次に本発明に係るシート用パッドおよびその製造方法につき、好適な実施例を挙げて、添付図面を参照しながら以下説明する。なお、図１１〜図１３を参照して説明した従来技術で既出の同一部材については、同じ符号を付して示し、その詳細説明は省略する。また前述の如く、シート１０において座部３０または背もたれ３２を構成するシート用パッド１２の構造は類似しているので、座部３０をなすシート用パッド１２を例に挙げて説明するものとする。
【００１１】
実施例に係るシート用パッド１２は、図１に示す如く、シート用パッド１２において乗員が着座する側をなす第１の発泡体１６と、この第１の発泡体１６の下側に所要の素材からなるシート状区画部材２０を境界Ｐとして積層的に一体化した第２の発泡体１８とから構成される。図１は、シート用パッド１２を示す斜視図(図１(ａ))と、このパッド１２の側断面図(図１(ｂ))である。ここで第１の発泡体１６および第２の発泡体１８としては、通常のシート用パッド１２の製造に好適に採用されるポリウレタン系発泡体の使用が好適であり、製造されるシート用パッド１２の用途によって、例えば硬度、反発弾性率その他諸物性が異なる発泡体となるように組成等が設計されている。
【００１２】
図２および図３に示したシート用パッド１２を成形する成形型５０は、基本的に図１１に示した成形型５０と同様であり、シート用パッド１２の外形を成形する下型５２と、この下型５２を制御下に密閉する上型５３とから構成される。ここで図２は、座部３０をなすシート用パッド１２を成形するための成形型５０の下型５２に、シート状区画部材２０を配置した状態を示す斜視図であり、図３は、下型５２にシート状区画部材２０を配置した状態の平面図(図３(ａ))と、この下型５２および上型５３からなる成形型５０内にシート状区画部材２０を配置した状態の側断面図(図３(ｂ))である。そして溝１２ａ,１２ａ,１２ａを形成する突条５４,５４,５４の上にシート状区画部材２０を関係的に位置させる。ここで関係的に位置させるとは、突条５４,５４,５４で囲繞され、かつ突条５４の高さより低い部分をその他の部分から区分して第１領域２２を画成するようにシート状区画部材２０が配置されていることを意味する。従って第１領域２２は、後部サポート部３６に対応した後部領域５６Ｂにおいてシート状区画部材２０が配置された下側の領域に相当し、それ以外の後部領域５６Ｂと、前部サポート部３４に対応した前部領域５６Ａと、左右のサイドサポート部２８に対応した２つの側部領域５６Ｃ、５６Ｃとを併せた部分が第２領域２４と呼称されている。なお本発明において、第１領域２２が画成されるシート状区画部材２０の内側とは、後述する突条５４と、成形型５０の内表面５０ａと、シート状区画部材２０とによって画成される領域を指し、また第２領域２４が画成されるシート状区画部材２０の外側とは、キャビティ５１における第１領域２２以外の領域を指している。
【００１３】
シート状区画部材２０は、第１領域２２と第２領域２４との間、すなわち第１の発泡体１６および第２の発泡体１８の境界Ｐを設定し、かつ保持するための部材である。そして本発明においてシート状区画部材２０は、シート用パッド１２を成形する成形型５０における下型５２に、溝１２ａを形成するため突出形成されている突条５４上に位置するように、キャビティ５１内に展延されている。そして本実施例においてシート状区画部材２０は、後部領域５６Ｂを区分するように三方に突出形成されている突条５４,５４,５４によって形成される略コ字状部分を上方から覆って第１領域２２を画成するように構成され、かつ第１の発泡体１６および第２の発泡体１８を区切る境界Ｐが平坦面となるよう、すなわちシート状区画部材２０がキャビティ５１に対して水平に展延するように配置されている。なおシート状区画部材２０および突条５４には、シート状区画部材２０を突条５４上に固定的に配置し得るように、夫々に複数の固定孔２０ａおよび複数の突起５４ａが対応的に設けられている。
【００１４】
ここでシート状区画部材２０は、後部領域５６Ｂの後方部分が開口するように配置されている。この開口部分において発泡途上の第１の発泡原料Ｍ１および第２の発泡原料Ｍ２が混じり合ってしまう虞があるが、この部分は座部３０を構成するシート用パッド１２の最後部近傍に位置するため、座り心地等に影響を与えることはない。また反対に、第１領域２２を完全に密封するようにしてもよく、そして密封する配置の場合、密封された第１領域２２に第１の発泡原料Ｍ１の注入により排出される空気の抜孔を別途成形型５０に設ける必要がある。
【００１５】
シート状区画部材２０は、前述の如く、シート用パッド１２を構成する第１の発泡体１６および第２の発泡体１８が、境界Ｐにおいて形成すべき外部輪郭形状を規定する部材でもある。このため第１の発泡原料Ｍ１および第２の発泡原料Ｍ２の発泡による体積膨張によって変形しない剛性と、発泡中の原料Ｍ１およびＭ２が透過させない透過性とが求められる。従って所定の形状を保持し得る剛性を、素材(材質)的に達成するまたは張力を掛ける等することで構造的に達成すると共に、透過性を殆ど有さない、例えば各種織布、フェルト等の不織布や、所謂ブラスチックダンボール等を素材としたシート状物が好適に使用される。殊にシート状区画部材２０の素材として、所定の形状を保持し得る剛性を素材(材質)的に発現し得る物質を採用する場合、その形状を突条５４上に水平に展延する平坦な板状以外の様々な形状、例えば所要の波状とすることも可能である。これは、シート用パッド１２を構成する第１の発泡体１６および第２の発泡体１８の境界Ｐの形状を水平以外の任意の形状に設定し得ることを意味し、第１の発泡体１６および第２の発泡体１８の物性の違いを利用したシート用パッド１２の機能性を大きく拡大し得るものである。なお、所定の形状を保持し得る剛性を、素材(材質)的に達成し得る物質は、基本的にその硬度も高い場合が多いため、シート状区画部材２０の厚さについては第１の発泡体１６および第２の発泡体１８の異なる物性の発現を阻害しないように、必要とされる剛性を発現し得る条件の下で最大限薄くすることが好ましい。
【００１６】
またシート状区画部材２０に所定の形状を保持し得る剛性を持たせる手段として、シート状区画部材２０に対して充分な張力を掛けた状態で、突条５４上に位置させる方法も有効である。具体的には図４に示す如く、シート状区画部材２０として、発泡中の原料Ｍ１およびＭ２が透過しない程度の透過性を発現するメッシュ構造のシート(図４(ａ)参照)や、厚さが薄く所要の伸びを発現し得るソリッドシート(図４(ｂ)参照)等を使用し、かつ突起５４ａとしてその先端が尖ったピン状部材を利用してシート状区画部材２０を引っ掛ければよい。これは、素材的または厚さが薄く充分な剛性を発現し得ない物質であっても、シート状区画部材２０として採用し得ることを意味する。そしてこの場合、シート状区画部材２０に充分な張力を掛けるようにして突起５４ａに引っ掛けることで、シート状区画部材２０の配置が完了するため、シート状区画部材２０の材料コストや重量の低減、更には製造時における煩雑さも解消し得る利点がある。
【００１７】
なおシート状区画部材２０の素材としては、第１の発泡体１６および第２の発泡体１８の双方に接触しつつ、かつ双方の発泡体１６および１８を強固に固定して一体化させる必要性もあるため、これら双方の発泡体１６および１８をなす発泡体素材との接着性が高いものが好適である。例えば第１の発泡体１６および第２の発泡体１８として、ポリウレタン系発泡体が採用される場合には、同系統のポリウレタン系樹脂等が好適である。反対にポリウレタン系発泡体に対して、ホリプロピレン(ＰＰ)等のプラスチックダンポールを用いた場合は非接着性を発現するため、第１の発泡体１６および第２の発泡体１８の積層一体化を強固になしえるといった観点からは好ましくない。この場合、シート状区画部材２０に対して、接着性を高めるためのプライマー処理や、表面粗さを高める等の表面処理が実施される。
【００１８】
(製造方法について)
次に本実施例に係るシート用パッドの製造方法を以下に説明する。なお、シート用パッド１２を製造する成形型５０、この成形型５０に注入されて第１の発泡体１６および第２の発泡体１８をなす第１の発泡原料Ｍ１および第２の発泡原料Ｍ２は準備され、成形型５０を構成する下型５２および上型５３は開放状態にあり、キャビティ５１は開放されているものとする。
【００１９】
実施例に係るシート用パッド１２の製造工程は、図５に示す如く、シート状区画部材配置工程Ｓ１、発泡原料注入・発泡工程Ｓ２および脱型工程Ｓ３とから基本的に構成される。ここでシート状区画部材配置工程Ｓ１は、開放状態にあるキャビティ５１内の突条５４上に第１領域２２を画成すべくシート状区画部材２０を配置する工程である。そして発泡原料注入・発泡工程Ｓ２は、第１領域２２および第２領域２４に分別的に第１の発泡原料Ｍ１および第２の発泡原料Ｍ２を注入し、成形型５０を閉成して発泡させる工程である。最後に実施される脱型工程Ｓ３は、第１の発泡原料Ｍ１および第２の発泡原料Ｍ２から得られた第１の発泡体１６および第２の発泡体１８からなるシート用パッド１２を、成形型５０内から脱型する工程である。
【００２０】
シート状区画部材配置工程Ｓ１は、成形型５０における前方および左右方向を塞いで後部領域５６Ｂを画成している突条５４、５４、５４上にシート状区画部材２０を配置して第１領域２２の画成を実施する工程である。実施例では、上方から観察した際に突条５４が、所謂Ｈ字状に存在し、前部領域５６Ａ、後部領域５６Ｂおよび２つの側部領域５６Ｃ、５６Ｃを夫々画成する例を挙げているが、以下のような態様も考えられる。すなわち、(１)図６に示す如く、突条５４が、成形型５０の前後方向に延在し、成形型５０を左右に区切るように２つ存在し、前部領域５６Ａおよび後部領域５６Ｂからなる中央領域５６ＡＢと、２つの側部領域５６Ｃ、５６Ｃとが画成されている。シート状区画部材２０は、突条５４に対して前述の実施例と同様の方法で固定され、これにより第１領域２が画成される。この場合、成形型５０内にシート状区画部材２０が配置されると、中央領域５６ＡＢの前方部分および後方部分が開口し、この部分で発泡途上の第１の発泡原料Ｍ１および第２の発泡原料Ｍ２が混じり合ってしまう虞があるが、この部分は座部３０を構成するシート用パッド１２の最前部および最後部近傍に位置するため、座り心地等に影響を与えることはない。
(２)図７に示す如く、突条５４が、成形型５０の左右方向に延在し、成形型５０を前後に区切るように存在し、前部領域５６Ａおよび後部領域５６Ｂだけが画成されている。シート状区画部材２０を、突条５４に対して前述の実施例と同様の方法で固定すると共に、成形型５０の内表面５０ａの所定部位に対して、シールまたはヒモ等の固定部材２０ｂにより貼着するまたは対応的に設けた部分等(図示せず)に引っ掛ける等の手段で固定し、これにより第１領域２２を画成する。この場合、成形型５０内にシート状区画部材２０が配置されると、後部領域５６Ｂの後方部分だけでなく後部領域５６Ｂの両側方部分においても、発泡途上の第１の発泡原料Ｍ１および第２の発泡原料Ｍ２が混じり合ってしまう虞があるが、この部分は座部３０を構成するシート用パッド１２においては、直接着座する部分ではないため、座り心地等に影響を与えることはない。なお固定部材２０ｂについては、シート状区画部材２０と一体的に配した形態でも、別体とした形態の何れでも問題はない。
【００２１】
発泡原料注入・発泡工程Ｓ２において成形型５０は、図８に示す如く、第１の発泡体１６および第２の発泡体１８の発泡方向を考えて、すなわちシート状区画部材２０の配置により開口している後部領域５６Ｂの後方部分が上方側に位置するように、所定角度傾斜させた状態に維持される。そして第１領域２２においては、傾斜された成形型５０で上方側に位置する後部領域５６Ｂの後方部分から第１の発泡原料Ｍ１が注入される(図８(ａ)参照)。このようにされることで、第１の発泡原料Ｍ１は、第１領域２２内に空気を残留させることなく好適にかつ効率的に注入され、すなわち第１の発泡原料Ｍ１の注入前に第１領域２２内に存在した空気は効率的に成形型５０の外部に排出されることになる(図８(ｂ)参照)。また第２領域２４への第２の発泡原料Ｍ２の注入は、上型５３を介して傾斜した成形型５０における下方部から実施される(図８(ａ)参照)。これは第２の発泡原料Ｍ２が発泡するに従って、下方から上方にライズするため、注入や第２領域２４に存在する空気の排出の点で効率がより高くなるためである。しかし、第１の発泡原料Ｍ１と違い、第２領域２４の上方であれば、何れの部位からでも注入は可能である。
【００２２】
そして閉成された成形型５０には、所定の条件下で加熱等が実施され、第１の発泡原料Ｍ１および第２の発泡原料Ｍ２の発泡・硬化がなされ、シート状区画部材２０を介して層状に一体化した第１の発泡体１６および第２の発泡体１８とされる。このとき、第１の発泡体１６および第２の発泡体１８がポリウレタン系発泡体等である場合、接着剤としての側面も有するため、シート状区画部材２０との一体化については含浸による弊害が発生することもなく好適になされる。また第１の発泡原料Ｍ１および第２の発泡原料Ｍ２の発泡によって、シート状区画部材２０、すなわち境界Ｐは変動することなく保持されるため、厚さは安定した状態で第１の発泡体１６および第２の発泡体１８が成形され、これにより意図した物性を安定的に達成し得る。なお、注入される第１の発泡原料Ｍ１および第２の発泡原料Ｍ２の注入量については、第１の発泡体１６および第２の発泡体１８が夫々成形される第１領域２２および第２領域２４の体積と、第１の発泡体１６および第２の発泡体１８の発泡倍率等とによって予め計算された最適となるように設定される。また第１の発泡原料Ｍ１および第２の発泡原料Ｍ２の注入速度等の条件は、従来のシート用パッドの製造方法に準じる。
【００２３】
このようにして製造されるシート用パッド１２は、厚さ方向に物性の異なる２種類の発泡体が層状に一体化した構造となっているので、一種類の発泡体だけでは発現させ得ない特徴ある物性を獲得し得る。例えば第１の発泡体１６の硬度を低くし、かつ第２の発泡体１８の硬度を高く設定した場合、所謂初期乗り心地を向上させた高級車に好適なシート用パッド１２の製造が可能となり、第１の発泡体１６の反発弾性率を低くし、かつ第２の発泡体１８の反発弾性率を高く設定した場合、初期反発が抑制されホールド性が向上したスポーツ車に好適なシート用パッド１２の製造が可能となる。この他、シート状区画部材２０の配置位置を適宜設定し、必要とされる部位以外の密度を低く設定することで、シート用パッド１２の軽量化や原価低減も可能である。
【００２４】
(別の実施例)
前述の実施例では、第１領域２２を単一の部材で覆うシート状区画部材２０を使用した例を挙げたが、本発明はこれに限定されるものではない。例えば図９に示す如く、その一部が重複するように配置される少なくとも２つ以上の分割部材２１、２１から構成されるシート状区画部材２０を採用することも可能である(図９(ａ)参照)。この場合、分割部材２１、２１が重複する部分Ｓを強制的に開口させることで、この部分Ｓから第１の発泡原料Ｍ１の注入が可能となる(図９(ｂ)参照)。このため前述の実施例のように、第１の発泡原料Ｍ１の注入位置が限定される、成形型５０における突条５４の配置位置、すなわちシート用パッド１２の各領域配置や、工程設計等の自由度を向上させる効果が期待できる。また、このような分割部材２１、２１からなるシート状区画部材２０を使用した場合、その重複部分Ｓは第１の発泡原料Ｍ１の発泡の体積膨張に伴って強制的に閉成した状態に移行させられるため、第１の発泡原料Ｍ１が重複部分Ｓから漏出することもない(図９(ｃ)参照)。なお図９において、成形型５０は水平状態とされ、また第１の発泡原料Ｍ１の注入の様子だけを示すようにしている。この他、図１０に示す如く、第１の発泡原料Ｍ１を注入する部分だけが、例えば円形に重複するようになっている分割部材２１、２１からなるシート状区画部材２０も採用可能である。
【産業上の利用可能性】
【００２５】
この発明は、従来技術に内在している課題に鑑み、これを好適に解決するべく提案されたものであって、シート用パッドを製造する成形型内に構造を利用して、異なる物性を備える２種類の発泡体を区切る区画部材を配置し、これにより２種類の発泡体を層状に一体成形するようにしたので、夫々の発泡体の厚さ等の形状を制御して意図した物性を安定的に発現させるシート用パッドと、このシート用パッドを好適に製造する方法を提供できる。
【図面の簡単な説明】
【００２６】
【図１】本発明の好適な実施例に係るシート用パッドを示す図であって、(ａ)は一部切り欠いて概略的に示す斜視図であり、(ｂ)は(ａ)のｂ−ｂ線断面図である。
【図２】実施例に係るシート用パッドを好適に成形する成形型を開放状態で示す斜視図である。
【図３】実施例に係るシート用パッドを成形する成形型の概略図であって、(ａ)は下型を平面状態で示す図であり、(ｂ)は(ａ)のｂ−ｂ線断面図である。
【図４】シート状区画部材を表す図であって、(ａ)はメッシュ構造のシートを採用した場合を示す概略斜視図であり、(ｂ)はソリッドシートを採用した場合を示す概略斜視図である。
【図５】実施例に係るシート用パッドの製造方法を示す工程図である。
【図６】突条により、中央領域と、２つの側部領域とが画成されている成形型を使用する場合におけるシート状区画部材の配置状態を示す斜視図である。
【図７】突条により、前部領域および後部領域だけが画成されている成形型を使用する場合におけるシート状区画部材の配置状態を示す斜視図である。
【図８】実施例に係るシート用パッドの製造方法を段階的に示す状態図である。
【図９】別の実施例に係るシート用パッドを成形する成形型と、シート状区画部材との状態を示す断面図である。
【図１０】重複する部分が円形となっているシート状区画部材を示す概略斜視図である。
【図１１】一般的な車両用シートの概略斜視図である。
【図１２】従来のシート用パッドの説明図であって、(ａ)は座部に係る概略斜視図であり、(ｂ)は背もたれに係る概略斜視図である。
【図１３】従来技術に係るシート用パッドを成形する成形型の概略図であって、(ａ)は下型を平面状態で示す図であり、(ｂ)は(ａ)のｂ−ｂ線断面図である。
【符号の説明】
【００２７】
１２  シート用パッド
１２ａ  溝部
１６  第１の発泡体
１８  第２の発泡体
２０  シート状区画部材
２２  第１領域
２４  第２領域
２１  分割部材
５０  成形型
５０ａ  内表面
５１  キャビティ
５４  突条
Ｍ１  第１の発泡原料
Ｍ２  第２の発泡原料
Ｐ  境界
Ｓ  重複した部分
【図１】
2005087338.tif 000003
【図２】
2005087338.tif 000004
【図３】
2005087338.tif 000005
【図４】
2005087338.tif 000006
【図５】
2005087338.tif 000007
【図６】
2005087338.tif 000008
【図７】
2005087338.tif 000009
【図８】
2005087338.tif 000010
【図９】
2005087338.tif 000011
【図１０】
2005087338.tif 000012
【図１１】
2005087338.tif 000013
【図１２】
2005087338.tif 000014
【図１３】
2005087338.tif 000015